Podtech/llm-jp-corpus-v4-ja_patent huggingface dataset:
【手続補正書】
【提出日】平成19年3月19日(2007.3.19)
【手続補正１】
【補正対象書類名】明細書
【補正対象項目名】特許請求の範囲
【補正方法】変更
【補正の内容】
【特許請求の範囲】
【請求項１】配列AACGTTATの非メチル化オクタマーCGモチーフを少なくとも１つ含んでなる安定化オリゴヌクレオチドを少なくとも１つ含んでなる抗腫瘍薬。
【請求項２】安定化オリゴヌクレオチドが、SEQ ID NO：９、10、16、21、31、33、34、35および37の配列からなる群から選択されることを特徴とする請求項１に記載の抗腫瘍薬。
【請求項３】非メチル化オクタマーCGモチーフのシトシンの少なくとも１つが、改変したシトシンと置換されていることを特徴とする請求項１または２のいずれかに記載の抗腫瘍薬。
【請求項４】安定化オリゴヌクレオチドが、ホスホロチオエート、ホスホロジチオエート、ホスホジエステル-ホスホロチオエート混合オリゴヌクレオチド、メチルホスホネート及び少なくとも１つの末端が安定化されているオリゴヌクレオチドからなる群から選択されることを特徴とする請求項１〜３のいずれか１つに記載の抗腫瘍薬。
【請求項５】安定化オリゴヌクレオチドが、一本鎖または二本鎖であることを特徴とする請求項１〜４のいずれか１つに記載の抗腫瘍薬。
【請求項６】安定化オリゴヌクレオチドが、少なくとも８つのヌクレオチド、好ましくは20〜100のヌクレオチドを含んでなることを特徴とする請求項１〜５のいずれか１つに記載の抗腫瘍薬。
【請求項７】安定化オリゴヌクレオチドが、腫瘍親和性を高めることが可能な分子に共有結合、イオン結合または弱い結合によって結合されることを特徴とする請求項１〜６のいずれか１つに記載の抗腫瘍薬。
【請求項８】癌の性質および退形成の程度にかかわらず、ヒトの癌治療を目的とする請求項１〜７のいずれか１つに記載の抗腫瘍薬。
【請求項９】癌が、中枢神経系および末梢神経系の癌からなる群から選択されることを特徴とする請求項８に記載の抗腫瘍薬。
【請求項１０】癌が、星状細胞腫、膠芽腫、髄芽腫、神経芽腫、黒色腫および癌腫からなる群から選択されることを特徴とする請求項８に記載の抗腫瘍薬。
【請求項１１】腫瘍内に投与されることを特徴とする請求項８〜１０のいずれか１つに記載の抗腫瘍薬。
【請求項１２】少なくとも腫瘍塊の一部で、腫瘍１gに対して10〜1000μgの用量になるように投与されることを特徴とする請求項１１に記載の抗腫瘍薬。
【請求項１３】静脈内、腹腔内、局所、経皮、皮下、動脈内、肺、鼻咽腔、または経口の経路からなる群から選択される経路によって投与されることを特徴とする請求項８〜１０のいずれか１つに記載の抗腫瘍薬。
【請求項１４】腫瘍部位において有効用量の達成を容易にする物理的手段により投与されるかまたは腫瘍部位において有効用量の達成を容易にする化学的手段との組合せで投与されることを特徴とする請求項８〜１３のいずれか１つに記載の抗腫瘍薬。
【請求項１５】医薬的に許容される形態で投与されることを特徴とする請求項８〜１４のいずれか１つに記載の抗腫瘍薬。
【請求項１６】安定化オリゴヌクレオチドが、免疫系の細胞、免疫学的アジュバント、サイトカイン、抗腫瘍抗体、腫瘍抽出物、腫瘍抗原あるいは通常の腫瘍細胞、照射された腫瘍細胞または遺伝子的に改変された腫瘍細胞と組み合わされることを特徴とする請求項８〜１５のいずれか１つに記載の抗腫瘍薬。
【請求項１７】安定化オリゴヌクレオチドが、隣接するかまたは他の様式で、配列AACGTTATの非メチル化オクタマーCGモチーフを複数含んでなることを特徴とする請求項１〜１６のいずれか１つに記載の抗腫瘍薬。
【請求項１８】安定化オリゴヌクレオチドが配列AACGTTATの非メチル化オクタマーCGモチーフを２つまたは３つ含んでなることを特徴とする請求項１７に記載の抗腫瘍薬。
【請求項１９】配列AACGTTATの非メチル化オクタマーCGモチーフを少なくとも１つ含んでなる20〜1000のヌクレオチドまたは塩基対からなるオリゴヌクレオチド。
【請求項２０】SEQ ID NO：９、10、16、21、31、33、34、35および37の配列からなる群から選択される請求項１９に記載のオリゴヌクレオチド。
【請求項２１】一本鎖または二本鎖である請求項１９または２０のいずれかに記載のオリゴヌクレオチド。
【請求項２２】安定化されている請求項１９〜２１のいずれか１つに記載のオリゴヌクレオチド。
【請求項２３】ホスホロチオエート、ホスホロジチオエート、ホスホジエステル-ホスホロチオエート混合物、メチルホスホネートおよび３'または５'末端での安定化からなる群から選択される改変主鎖により安定化されている請求項２２に記載のオリゴヌクレオチド。
【手続補正書】
【提出日】平成19年2月27日(2007.2.27)
【手続補正１】
【補正対象書類名】明細書
【補正対象項目名】特許請求の範囲
【補正方法】変更
【補正の内容】
【特許請求の範囲】
【請求項１】
下記一般式Ｉの化合物、またはその医薬上許容される塩：
【化１】
2002539204.tif 000001
｛式中、
Ｒは、アジド基；水酸基；グアニジノ基；アミノ基、アルキル、ヒドロキシアルキル、アリル、ニトリル、アルコキシカルボニルもしくはアシルにより置換されたグアニジノ基；またはアルキル、ヒドロキシアルキル、アリル、ニトリル、アルコキシカルボニルもしくはアシルにより置換されたアミノ基を表し、
Ｒ２は、ＣＯＣＨ３、ＣＯＣＦ３、ＳＯ２ＣＨ３またはＳＯ２ＣＦ３を表し、
Ｘは、Ｏ、Ｏ（Ｃ＝Ｏ）、ＮＨ、ＮＨＣＯ、Ｏ（Ｃ＝Ｏ）ＮＨ、Ｏ（Ｃ＝Ｓ）ＮＨ、ＮＨ（Ｃ＝Ｏ）ＮＨ、またはＮＨ（Ｃ＝Ｓ）ＮＨを表し、かつ、
Ｙは、骨格原子が炭素、窒素、酸素および硫黄からなる群から選択され、１００までの原子長の直鎖、分枝状、環状の鎖、またはそれらの組合せである｝。
【請求項２】
Ｙが８〜１００個の原子長である、請求項１に記載の化合物。
【請求項３】
Ｙが１０〜５０個の原子長である、請求項２に記載の化合物。
【請求項４】
Ｙが１２〜３０個の原子長である、請求項３に記載の化合物。
【請求項５】
Ｒが、アミノ基；グアニジノ基；アルキル、ヒドロキシアルキル、アリル、ニトリル、アルコキシカルボニルもしくはアシルにより置換されたグアニジノ基；または、アルキル、ヒドロキシアルキル、アリル、ニトリル、アルコキシカルボニルもしくはアシルにより置換されたアミノ基であり、
Ｒ２がアセチルまたはトリフルオロアセチルであり、
ＸがＯ（Ｃ＝Ｏ）ＮＨであり、かつ
Ｙが１０〜５０個の原子長である、
請求項１に記載の化合物。
【請求項６】
Ｙが、直鎖もしくは分枝状炭化水素鎖；Ｂｒ、Ｃｌ、Ｆ、Ｉ、ＣＦ３、ＮＨ２、アミノ、アルキルアミノ、ＮＨアシル、アルコキシ、メトキシ、ヒドロキシもしくはカルボキシにより置換された直鎖もしくは分枝状炭化水素鎖；ペプチド；オリゴ糖；ポリアミノ酸；ポリエチレングリコール単位；アルキルアミドアルカン；アルキルウレイドアルカンからなる群から選択され、いずれも単独で、多形でまたは組み合わせて用いてもよい、請求項１〜９のいずれか一項に記載の化合物。
【請求項７】
下記式（Ia）である、請求項１に記載の化合物。
【化２】
2002539204.tif 000002
（ここで、Ｙは、
(CH２)６NHCONH(CH２)４NHCONH(CH２)６，
(CH２)６NHCONH(CH２)１２NHCONH(CH２)６，
(CH２)６NH[COCH２NH]３CONH(CH２)６NHCO[NHCH２CO]３NH(CH２)６，
(CH２)６NH[CO(CH２)５NH]２CONH(CH２)１２NHCO[NH(CH２)５CO]２NH(CH２)６，
(CH２)６NH[CO(CH２)５NH]４CONH(CH２)６NHCO[NH(CH２)５CO]４NH(CH２)５，
(CH２)６NHCOCH２N[CH２CO２H]CH２CH２N[CH２CO２H]CH２CONH(CH２)６，
(CH２)６NHCO(CH２)２CH[NH２．TFA]CONHCH２CONH(CH２)６，または
CH２CH２OCH２CH２OCH２CH２，
である）。
【請求項８】
Ｙが、化合物の薬学上または薬動力学上の特性を改善するために、親油性炭化水素基、ポリエチレングリコール（ＰＥＧ）鎖およびペプチドからなる群から選択される付加的な官能基と結合している、請求項１に記載の化合物。
【請求項９】
請求項１〜８のいずれか一項に記載の化合物を、医薬上許容される担体とともに含んでなる、医薬組成物。
【請求項１０】
１種以上のその他の治療的および／または予防的成分をさらに含んでなる、請求項９に記載の組成物。
【請求項１１】
第２の抗ウイルス剤をさらに含んでなる、請求項９または１０に記載の組成物。
【請求項１２】
第２の抗ウイルス剤がシアル酸類似体、アマンタジン、リマンタジンおよびリバビリンからなる群から選択される、請求項１１に記載の組成物。
【請求項１３】
ウイルス感染症を治療および／または予防するための、請求項９〜１２のいずれか一項に記載の組成物。
【請求項１４】
オルソミクソウイルスまたはパラミクソウイルスの感染症の治療または予防用である、請求項１３に記載の組成物。
【請求項１５】
感染症がＡ型またはＢ型インフルエンザによって引き起こされるものである、請求項１４に記載の組成物。
【請求項１６】
感染症が哺乳類におけるものである、請求項１３〜１５のいずれか一項に記載の組成物。
【請求項１７】
哺乳類がヒトである、請求項１６に記載の組成物。
【請求項１８】
化合物が式（Ｉ）または式（Ia）のものである、請求項１３〜１７のいずれか一項に記載の組成物。
【請求項１９】
用量が一日当たり約０．０１〜１００ｍｇ／体重ｋｇの範囲である、請求項１３〜１８のいずれか一項に記載の組成物。
【請求項２０】
ウイルス感染を治療および／または予防する医薬の製造のための、請求項１〜８のいずれか一項に記載の化合物の使用。
【請求項２１】
請求項１〜８のいずれか一項に記載の化合物と、ウイルスを含むと思われるサンプルとを接触させる工程を含んでなる、インフルエンザウイルスの検出方法。
【請求項２２】
請求項１〜８のいずれか一項に記載の化合物、または請求項９〜１９のいずれか一項に記載の組成物を含んでなる、抗ウイルス剤。
【誤訳訂正書】
【提出日】平成19年7月9日(2007.7.9)
【誤訳訂正１】
【訂正対象書類名】明細書
【訂正対象項目名】発明の詳細な説明
【訂正方法】変更
【訂正の内容】
【発明の詳細な説明】
明細書第１１頁第１行から第３行を下記の通り訂正します。
記
それ故、繊維に沿った空気の射出と、還流ポンプ１７の助けを借り対流方向（繊維の内から外へ）にタンク１３から送られる処理した水の周期的な射出によって、膜の汚染分離が永久に保証される。
【手続補正書】
【提出日】平成18年11月30日(2006.11.30)
【手続補正１】
【補正対象書類名】明細書
【補正対象項目名】特許請求の範囲
【補正方法】変更
【補正の内容】
【特許請求の範囲】
【請求項１】  クリックストリーム分析を行なうための方法であって、
ウェブサイトに関連するクリックストリーム経路を記憶するステップを含み、前記ウェブサイトは複数の関連したウェブページを含み、前記ウェブページは階層的態様で構築され、各前記ウェブページはユーザによって選択可能である１つ以上のハイパーリンクを含み、前記方法はさらに
前記クリックストリーム経路に関連の独立変数および前記クリックストリーム経路に関連の少なくとも１つの従属変数を選択し、少なくとも１つの従属変数ごとに重み付けを決定するステップにより、前記クリックストリーム経路を処理するステップと、
前記クリックストリーム経路を分析して、プレゼンテーションの有効性と人口統計学におけるシフトとのうちの少なくとも１つを判断するステップとを含む、方法。
【請求項２】  前記処理するステップは、前記クリックストリーム経路に対して一連のまたはそれ以上のクエリを行なうステップをさらに含む、請求項１に記載の方法。
【請求項３】  前記分析するステップは、プレゼンテーションモデルを分析してプレゼンテーションの有効性を判断するステップを含む、請求項１に記載の方法。
【請求項４】  前記プレゼンテーションモデルの有効性が特定されたしきい値未満であるかを判断し、前記プレゼンテーションモデルの有効性が前記特定されたしきい値未満であると判断された場合、前記プレゼンテーションモデルを修正するステップをさらに含む、請求項３に記載の方法。
【請求項５】  前記分析するステップは、人口統計学的モデルを分析して人口統計学的モデルの有効性を判断するステップを含む、請求項１に記載の方法。
【請求項６】  前記人口統計学的モデルの有効性が特定されたしきい値未満であるかを判断し、前記人口統計学的モデルの有効性が前記特定されたしきい値未満であると判断された場合、前記人口統計学的モデルを修正するステップをさらに含む、請求項５に記載の方法。
【請求項７】  前記クリックストリーム経路を記憶するステップは、
ウェブサイトを通るクリックストリーム経路を各々が表わす複数のデータベクトルを記憶するステップを含み、各前記データベクトルは１組のデータエントリを含み、各データベクトルはウェブサイトのウェブページのハイパーリンクを介して選択されるウェブ内容に対応する、請求項１に記載の方法。
【請求項８】  クリックストリーム経路を分類するステップをさらに含む、請求項７に
記載の方法。
【請求項９】  前記分類するステップは、前記データベクトルにおける前記データエントリのうちの少なくとも１つに基づいてクリックストリーム経路を分類するステップを含む、請求項８に記載の方法。
【請求項１０】  分類の基礎とするために少なくとも１つのデータエントリを選択するステップをさらに含み、前記少なくとも１つのデータエントリは、完了した注文と、経路長さと、ブール動作と、クロスセールと、打ち切られた注文と、元のウェブサイトと、出口ウェブサイトと、製品と、スタイルと、原因および結果と、探索カテゴリとからなる特徴の組のうちの少なくとも１つの特徴に基づき選択される、請求項９に記載の方法。
【請求項１１】  分類の前にデータベクトルのサイズを減じるステップをさらに含む、請求項８に記載の方法。
【請求項１２】  前記データベクトルのサイズを減じるステップは、前記データベクトル内で繰返す、選択されたウェブページに対応する各データエントリを除去することにより、データベクトルを圧縮するステップをさらに含む、請求項１１に記載の方法。
【請求項１３】  少なくとも１つのデータベクトルにおける少なくとも１つのデータエントリから推論を生成してデータベクトルサイズを減じるステップをさらに含む、請求項１１に記載の方法。
【請求項１４】  請求項１、請求項２、請求項３、請求項４、請求項５、請求項６、請求項７、請求項８、請求項９、請求項１０、請求項１１、請求項１２または請求項１３に記載の方法の各ステップをコンピュータに行なわせるプログラムを格納するコンピュータ読取可能記憶媒体。
【誤訳訂正書】
【提出日】平成19年9月12日(2007.9.12)
【誤訳訂正１】
【訂正対象書類名】特許請求の範囲
【訂正対象項目名】全文
【訂正方法】変更
【訂正の内容】
【特許請求の範囲】
【請求項１】
Ｃ2〜Ｃ20オレフィン重合のために重合反応器にチーグラ−ナッタ触媒組成物［但し、該触媒は、チタン含有固体成分ａ）と、助触媒としての有機アルミニウム化合物ｂ）及び電子供与体化合物ｃ）とを含む。］を添加する方法であって、
実質的に溶剤を含まない固体成分ａ）を、実質的に溶剤を含まない容器Ａに導入し、
使用される助触媒を容器Ｂ中で不活性溶剤と混合し、
容器Ｂの内容物を容器Ａに導入して、容器Ａで固体成分ａ）と混合し、そこから容器Ａの内容物を実際の重合反応器に導入することを特徴とする触媒の添加法。
【請求項２】
使用される助触媒を容器Ｂ中において１０〜５０℃で混合する請求項１に記載の方法。
【請求項３】
容器Ｂの内容物を１０〜５０℃で容器Ａに導入し、そこで触媒と混合する請求項１又は２に記載の方法。
【請求項４】
容器Ｂ中で使用される不活性溶剤が不活性炭化水素である請求項１〜３のいずれかに記載の方法。
【請求項５】
容器Ｂ中で使用される不活性溶剤が８０〜１２０℃の沸騰範囲の炭化水素を含む石油留分である請求項１〜４のいずれかに記載の方法。
【請求項６】
エチレン、プロピレン又は１−ブテンの重合におけるチーグラ−ナッタ触媒組成物の添加に使用される請求項１〜５のいずれかに記載の方法。
【誤訳訂正２】
【訂正対象書類名】明細書
【訂正対象項目名】００５６
【訂正方法】変更
【訂正の内容】
【００５６】
本発明の方法によると、使用される助触媒、すなわちチーグラ−ナッタ触媒の場合に有機アルミニウム化合物ｂ）及び電子供与体化合物ｃ）又はメタロセン触媒組成物の場合にメタロセニウムイオンを形成可能な化合物を、次いで、容器Ｂ中において不活性溶剤と混合する。容器Ｂも同様に工業で一般的な貯蔵容器、例えば撹拌器付き容器又は撹拌器無しの容器である。使用される助触媒と不活性溶剤との混合は、通常、１０〜５０℃、特に１５〜４０℃で２〜１２０分間、特に３〜１００分間に亘って行われる。好適な不活性溶剤は、例えば石油留分、例えばエクソール（Exxol）又はバルソール（Varsol）（両方共にエクソン（Exxon）社の市販品）、又は他の不活性炭化水素である。特に有用な不活性炭化水素は、例えばペンタン、ヘキサン、ヘプタン、ノナン及びデカン、更に８０〜１２０℃又は１４０〜１７０℃の沸騰範囲の炭化水素を含む石油留分である。
【誤訳訂正書】
【提出日】平成19年6月21日(2007.6.21)
【誤訳訂正１】
【訂正対象書類名】明細書
【訂正対象項目名】００２９
【訂正方法】変更
【訂正の内容】
【００２９】
図7Aは、本発明によるバイオセンサーの好ましい実施例を示している。図7Aを参照すると、EIA用バイオセンサーは、多孔性薄膜101；生物学的に活性ある物質(抗体)が固定されている作動電極104、第1電極連結部105及び第1リード排出口106からなっている第1電極系102；カウンター電極107、第2電極連結部108、及び第2リード排出口109からなっている第2電極系103；１対の絶縁膜110、111；及び酵素-分析物質接合体が吸収され乾燥されたパッド114a；ならびに孔117、118がある１対のカバー115、116を含む。
【誤訳訂正２】
【訂正対象書類名】明細書
【訂正対象項目名】００３０
【訂正方法】変更
【訂正の内容】
【００３０】
図7A及び図8を参照すると、提案された非分離形免疫分析の原理及び連続的な段階がさらに完全に記載されている。分析物質を含む試料溶液(例えば、血液)が上部カバー115に形成されている孔117を通してバイオセンサーに注入される。注入された溶液は、前もって指定された量の酵素-分析物質接合体が吸収されているパッド114a(例えば、ニトロセルロース膜、紙及びガラス繊維)に接触するようになる。それから、溶液に溶解されている酵素-分析物質接合体と分析蛋白質が作動電極104に吸着されている生物学的に活性ある物質(抗体)に競争的な結合を形成するようになる。結合が充分に形成された後に、接合体酵素の特異的な基質が下部カバー116に形成されている孔118を通して注入される。基質は空隙を貫通するようになり、結合された酵素-分析物質接合体に接触するようになり、酵素反応を開始するようになる。このような反応により、基質が生成物で変形し、電極に伝達された電子が電気的な信号を生成するようになる。電気的な信号が電極系102の表面に伝達され適当な装置により検出される。また、電気的な信号は結合しない酵素-分析物質接合体と基質の反応によっても生成される。しかし、結合しない酵素-分析物質接合体は、電極表面から充分に離れているため酵素-基質反応から生成される電子が電極に到達できない。このような理由で、洗浄段階及び分離段階を省略できる。
【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】  すくい面(36)と、少なくとも１つの逃げ面(38)と、
すくい面(36)と少なくとも１つの逃げ面(38)との接合部にある連続縁を有する基体を含み、すくい面(36)はその表面粗さが基体の他の面よりも粗い粗面(32)を有する領域を具えた材料除去用工具(30)に於いて、
粗面(32)は、前記連続縁のどの点からも離れていることを特徴とする材料除去用工具。
【請求項２】  粗面(32)は、粗面が工具によって除去された材料に干渉しない距離だけ連続縁から離れた、請求項１の工具。
【請求項３】  工具(30)は、少なくとも１種の粉末状セラミック材料を硬化する工程を具えた方法によって作られる、請求項１又は２に記載の工具。
【請求項４】  少なくとも１種の粉末状セラミック材料を硬化する工程は、高温圧縮成形、常温圧縮成形、熱間等静圧圧縮成形及び焼結成形のうちの少なくとも１つを含んでいる、請求項３に記載の工具。
【請求項５】  前記粗面(32)は、表面粗さの算術平均が少なくとも３０μｉｎ(０.７６２μｍ)である、請求項１乃至４の何れかに記載の工具。
【請求項６】  該工具(30)は５ｉｎ−ｌｂｓ(０.５７Ｎｍ)より大きい摩擦抵抗を有する、請求項１乃至５の何れかに記載の工具。
【請求項７】  該工具(30)は、カーバイド、超硬合金、サーメット、立方晶系窒化ホウ素、多結晶ダイヤモンド及びセラミックから成る群から選択される少なくとも１つの材料を含んでいる、請求項１乃至６の何れかに記載の工具。
【請求項８】  工具(30)は、その少なくとも１つの表面上に形成されたコーティングをさらに含んでいる、請求項１乃至７の何れかに記載の工具。
【請求項９】  前記コーティングは、ＴｉＣ、ＴｉＣＮ、ＴｉＮ、Ａｌ2Ｏ3、ＨｆＮ及びＴｉＡｌＮから選択される少なくとも１つの物質を含んでいる、請求項８に記載の工具。
【請求項１０】  該工具(30)は、８ｉｎ−ｌｂｓ(０.９Ｎｍ)より大きい摩擦抵抗を有する、請求項１乃至９の何れかに記載の工具。
【請求項１１】  前記粗面(32)は、表面粗さの算術平均が少なくとも６３μｉｎ(１.６μｍ)である、請求項１乃至１０の何れかに記載の工具。
【請求項１２】  前記粗面(32)は、研削、サンドブラスト、鋳造、化学的エッチング、フォトリソグラフィ、反応性イオンエッチング及びレーザビーム衝撃法から選択される少なくとも１つのプロセスによって形成される、請求項１乃至１１の何れかに記載の工具。
【請求項１３】  該工具(30)は、切削工具インサートと、チップブレーカとから成る群から選択される、請求項１乃至１２の何れかに記載の工具。
【請求項１４】  粗面(32)は、その表面粗さが基体の他の面よりも粗く、約１１００μｉｎ(２７.９４μｍ)以下である、請求項１乃至１３の何れかに記載の工具。
【請求項１５】  複数の表面(36)(38)と、少なくとも１つの切刃部(34)とを有する工具の製造方法であって、該方法は、
すくい面(36)、少なくとも１つの逃げ面(38)、及び該すくい面(36)と該少なくとも１つの逃げ面(38)との接合部に位置する連続縁を有している基体を設け、  該基体は、少なくとも１種の粉末状セラミック材料を硬化することを含む過程によって作られている工程；及び
少なくとも１種の粉末状セラミック材料を硬化した後に、すくい面(36)の少なくとも１つの領域(32)を粗面加工し、粗面(32)を設け、該粗面の表面粗さは基体の他の表面よりも大きく、粗面(32)は連続縁のどの点からも離れている工程を含む工具の製造方法。
【請求項１６】  少なくとも１種の粉末状材料を硬化する工程を含む方法によって作られる工具であって、
すくい面(36)、少なくとも１つの逃げ面(38)、及び該すくい面(36)と該少なくとも１つの逃げ面(38)との接合部に位置する切刃を有している基体を設け、
すくい面(36)は粗面(32)を有し、粗面(32)は切刃のどの点からも離れており、粗面(32)は少なくとも１種の粉末状材料を硬化した後のすくい面(36)上に形成されており、その表面粗さは基体の他の表面よりも大きいことを特徴とする工具。
【請求項１７】  粗面(32)は、粗面が工具によって除去された材料に干渉しない距離だけ連続縁から離れた、請求項１６の工具。
【請求項１８】  少なくとも１種の粉末状材料を硬化する工程は、高温圧縮成形、常温圧縮成形、熱間等静圧圧縮成形及び焼結成形のうちの少なくとも１つを含んでいる、請求項１６に記載の工具。
【請求項１９】  前記粗面(32)は、表面粗さの算術平均が少なくとも３０μｉｎ(０.７６２μｍ)である、請求項１６に記載の工具。
【請求項２０】  該工具(30)は５ｉｎ−ｌｂｓ(０.５７Ｎｍ)より大きい摩擦抵抗を有する、請求項１６に記載の工具。
【請求項２１】  該工具(30)は、カーバイド、超硬合金、サーメット、立方晶系窒化ホウ素、多結晶ダイヤモンド及びセラミックから成る群から選択される少なくとも１つの材料を含んでいる、請求項１６に記載の工具。
【請求項２２】  工具(30)は、その少なくとも１つの表面上に形成されたコーティングをさらに含んでいる、請求項１６に記載の工具。
【請求項２３】  前記コーティングは、ＴｉＣ、ＴｉＣＮ、ＴｉＮ、Ａｌ2Ｏ3、ＨｆＮ及びＴｉＡｌＮから選択される少なくとも１つの物質を含んでいる、請求項２２に記載の工具。
【請求項２４】  該工具(30)は、８ｉｎ−ｌｂｓ(０.９Ｎｍ)より大きい摩擦抵抗を有する、請求項１６に記載の工具。
【請求項２５】  前記粗面(32)は、表面粗さの算術平均が少なくとも６３μｉｎ(１.６μｍ)である、請求項１６に記載の工具。
【請求項２６】  前記粗面(32)は、研削、サンドブラスト、鋳造、化学的エッチング、フォトリソグラフィ、反応性イオンエッチング及びレーザビーム衝撃法から選択される少なくとも１つのプロセスによって形成される、請求項１６に記載の工具。
【請求項２７】  該工具(30)は、切削工具インサートと、チップブレーカとから成る群から選択される、請求項１６に記載の工具。
【請求項２８】  粉末状材料は、粉末状セラミック材料である、請求項１６に記載の工具。
【手続補正書】
【提出日】平成19年9月26日(2007.9.26)
【手続補正１】
【補正対象書類名】明細書
【補正対象項目名】請求項９
【補正方法】変更
【補正の内容】
【請求項９】  上下に重ねて置かれ軟化温度に加熱されたガラス板を対で曲げるための、特に請求項１から８のうちの１項に記載の方法を実施するための装置であって、
−ガラス板を加熱する炉と、
−軟化温度に加熱された対のガラス板（２）を運ぶようになっているフレーム（３，３７）の形式の少なくとも１つの予備曲げ加工型と、
−最も下側のガラス板の面に対し僅かに後退して予備曲げ加工された対のガラス板（２）がその上に移送され載置される凹面の成形面を有する吸引曲げ加工型（５）であって、予備曲げ加工型が、対のガラス板の移送時に吸引曲げ加工型をフレームの形式に取巻くようになっている、吸引曲げ加工型（５）と、
−凹面の成形面と最も下側のガラス板の下側面との間に限られた時間の下降を発生させる手段であって、該下降により圧力差が予備曲げ加工された対のガラス板（２）を横切って生じまた該対のガラス板が成形面に押しつけられるようになっている、下降発生手段と、
−完成された曲げ加工の対のガラス板（２）を冷却部署に移送するための移送装置（３７）であって、前記対のガラス板が吸引曲げ加工型（５）から該装置に移送される、移送装置（３７）、
とを具備している対のガラス板を曲げる装置。
【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  無水パロキセチン又は薬理学的に許容し得るそれらの塩類を、軟ゼラチンカプセルの形態での親油性担体類であって、前記新油性担体類がシリコーン油類であるものと共に含む薬剤。
【請求項２】  前記薬理学的に許容し得る塩が、無水塩酸パラキセチンである請求項１に記載の薬剤。
【請求項３】  前記担体類が、室温で半固体状又は液体状である請求項１又は２に記載の薬剤。
【請求項４】  無水パロキセチン又は薬理学的に許容し得るそれらの塩類を親油性担体類、すなわちシリコーン油類、に懸濁し、前記懸濁液を軟ゼラチンカプセル類中に充填することを特徴とする請求項１〜３のいずれか一項に記載の薬剤の製造方法。
【請求項５】  高度分散シリカを前記シリコーン油に混合することを特徴とする請求項４に記載の方法。
【手続補正書】
【提出日】平成19年5月24日(2007.5.24)
【手続補正１】
【補正対象書類名】明細書
【補正対象項目名】特許請求の範囲
【補正方法】変更
【補正の内容】
【特許請求の範囲】
【請求項１】  配列番号２の成熟アミノ酸配列（残基１〜３６１）に対する少なくとも５０％のアミノ酸配列相同性を備える、単離されたポリペプチド。
【請求項２】  前記ポリペプチドが、配列番号２の成熟アミノ酸配列（残基１〜３６１）に対する少なくとも７０％のアミノ酸配列相同性を備える、請求項１に記載のポリペプチド。
【請求項３】  前記ポリペプチドが、配列番号２の成熟アミノ酸配列（残基１〜３６１）に対する少なくとも９０％のアミノ酸配列相同性を備える、請求項２に記載のポリペプチド。
【請求項４】  前記ポリペプチドが、配列番号２の成熟アミノ酸配列（残基１〜３６１）に対する少なくとも９８％のアミノ酸配列相同性を備える、請求項３に記載のポリペプチド。
【請求項５】  前記ポリペプチドが、配列番号２の残基１〜３６１の配列を含む、請求項４に記載のポリペプチド。
【請求項６】  前記ポリペプチドが、配列番号２のアミノ酸配列に対する少なくとも５０％のアミノ酸配列相同性を備える、請求項１に記載のポリペプチド。
【請求項７】  前記ポリペプチドが、配列番号２のアミノ酸配列に対する少なくとも９０％のアミノ酸配列相同性を備える、請求項６に記載のポリペプチド。
【請求項８】  前記ポリペプチドが、配列番号２の配列を含む、請求項７に記載のポリペプチド。
【請求項９】  以下を含む、薬学的処方物：
ａ）請求項１に記載のポリペプチド；および
ｂ）薬学的に受容可能なキャリアまたは希釈剤。
【請求項１０】  以下を含む、組成物：
ａ）請求項１に記載のポリペプチド；
ｂ）検出タグまたは精製タグ。
【請求項１１】  以下を含む、キット：
ａ）請求項１に記載のポリペプチド；および
ｂ）該ポリペプチドの使用のための説明書。
【請求項１２】  請求項１に記載のポリペプチドをコードする単離された核酸または組換え核酸。
【請求項１３】  配列番号１の残基７０〜１１５２の配列を含む、請求項１２に記載の核酸。
【請求項１４】  請求項１２に記載の核酸を含む発現ベクター。
【請求項１５】  請求項１４に記載の発現ベクターを含む細胞。
【請求項１６】  前記細胞が、以下：
ａ）細菌細胞；
ｂ）酵母細胞；
ｃ）昆虫細胞；または
ｄ）哺乳動物細胞
である、請求項１４に記載の細胞。
【請求項１７】  以下を含む、組成物：
ａ）請求項１２に記載の核酸；および
ｂ）検出可能な標識。
【請求項１８】  以下を含む、キット：
ａ）請求項１２に記載の核酸；および
ｂ）該核酸の使用のための説明書。
【請求項１９】  ３０℃および２Ｍ未満の塩で３０分間の洗浄条件下で、配列番号１のコード部分にハイブリダイズする核酸。
【請求項２０】  前記洗浄条件が、４５℃および５００ｍＭの塩で３０分間である、請求項１９に記載の核酸。
【請求項２１】  前記洗浄条件が、５５℃および１５０ｍＭの塩で３０分間である、請求項１９に記載の核酸。
【請求項２２】  配列番号１のコード部分（残基１〜１１５２）との少なくとも６０％のヌクレオチド配列相同性を備える、核酸。
【請求項２３】  配列番号１のコード部分（残基１〜１１５２）との少なくとも８０％の配列相同性を備える、請求項２２に記載の核酸。
【請求項２４】  配列番号１のコード部分（残基１〜１１５２）との少なくとも９５％の配列相同性を備える、請求項２３に記載の核酸。
【請求項２５】  配列番号１のコード部分（残基１〜１１５２）を含む、請求項２４に記載の核酸。
【請求項２６】  配列番号２の成熟アミノ酸配列（残基１〜３６１）を含むポリペプチドに特異的に結合する抗体に由来する抗原結合部位を含む、結合化合物。
【請求項２７】  配列番号２の成熟アミノ酸配列（残基１〜３６１）からなるポリペプチドに特異的に結合する抗体に由来する抗原結合部位を含む、結合化合物。
【請求項２８】  Ｆｖフラグメント、Ｆａｂフラグメント、およびＦａｂ２フラグメントからなる群より選択される抗体フラグメントを含む、請求項２６に記載の結合化合物。
【請求項２９】  前記結合化合物が検出可能に標識されている、請求項２６に記載の結合化合物。
【請求項３０】  以下を含む、薬学的処方物：
ａ）請求項２６に記載の結合化合物；および
ｂ）薬学的に受容可能なキャリアまたは希釈剤。
【請求項３１】  以下を含む、キット：
ａ）請求項２６に記載の結合化合物；
ｂ）該結合化合物の使用のための説明書。
【請求項３２】  抗原：抗体複合体を生成する方法であって、該方法は、
ａ）請求項１に記載のポリペプチドと請求項２６に記載の結合化合物とを接触させる工程；および
ｂ）該複合体を形成させる工程
を包含する、方法。
【請求項３３】  以下を含む、複合体：
ａ）請求項１に記載のポリペプチド；および
ｂ）請求項２６に記載の結合化合物。
【請求項３４】  前記抗体がキメラ抗体である、請求項２６に記載の結合化合物。
【請求項３５】  前記抗体がヒト化抗体である、請求項２６に記載の結合化合物。
【請求項３６】  前記抗体がヒト抗体である、請求項２６に記載の結合化合物。
【請求項３７】  細胞の生理機能または発達を調節するための医薬の製造における、請求項２６に記載の結合化合物の使用。
【請求項３８】  被験体において炎症を減少させるための医薬の製造における、請求項２６に記載の結合化合物の使用。
【請求項３９】  細胞の生理機能または発達を調節するための、請求項２６に記載の結合化合物を含む組成物。
【請求項４０】  被験体において炎症を減少させるための、請求項２６に記載の結合化合物を含む組成物。
【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  配列番号：１４に記載されたアミノ酸配列を含む単離ポリペプチド。
【請求項２】  配列番号：１４の残基２３ないし５０２を含む単離ポリペプチド。
【請求項３】  配列番号：１４に記載されたアミノ酸配列を含む単離ポリペプチドであって：
（１）２３０位におけるプロリン残基がグリシン、アラニン、イソロイシン、ロイシンおよびバリンよりなる群から選択されるアミノ酸残基で置換されているか、または２４１位におけるセリン残基がスレオニン、メチオニン、アスパラギン、グルタミン、およびチロシンよりなる群から選択されるアミノ酸残基で置換されており；あるいは
（２）２３０位におけるプロリン残基がグリシン、アラニン、イソロイシン、ロイシンおよびバリンよりなる群から選択されるアミノ酸残基で置換されており、かつ２４１位におけるセリン残基がスレオニン、メチオニン、アスパラギン、グルタミン、およびチロシンよりなる群から選択されるアミノ酸残基で置換されている単離ポリペプチド。
【請求項４】  請求項２記載の単離ポリペプチドの残基２３ないし５０２を含む単離ポリペプチド。
【請求項５】  請求項１ないし４いずれか１記載のポリペプチドをコードする単離ポリヌクレオチド、またはその相補体。
【請求項６】  請求項５記載のポリヌクレオチドを含む発現ベクター。
【請求項７】  請求項６記載のベクターを含む宿主細胞。
【手続補正書】
【提出日】平成19年1月31日(2007.1.31)
【手続補正１】
【補正対象書類名】明細書
【補正対象項目名】特許請求の範囲
【補正方法】変更
【補正の内容】
【特許請求の範囲】
【請求項１】  食用粘性液体または半流動体の支持マトリックスに懸濁された固体クレアチンを含む、ヒト摂取のための組成物。
【請求項２】  前記組成物のｐＨは２．５から６．５の範囲である、請求項１に記載の組成物。
【請求項３】  前記組成物のｐＨは３．０から６．０の範囲である、請求項１または２に記載の組成物。
【請求項４】  電解質、ビタミン、脂質、炭水化物、アミノ酸、微量元素、着色料、調味料、人工甘味料、天然健康増進物質、抗酸化剤、安定化剤、保存料、および緩衝剤からなる群より選択される１つまたはそれ以上の付加的な成分を含む、請求項１から３のいずれかに記載の組成物。
【請求項５】  前記食用支持マトリックスは蜂蜜、シロップ、糖蜜、ゴールデンシロップ、および濃縮アロエベラゲルのうち１つまたはそれ以上を含む、請求項１から４のいずれかに記載の組成物。
【請求項６】  前記食用支持マトリックスは植物由来または藻類由来の多糖、ガム、濃化剤およびゼラチン状物質を含む、請求項１から５のいずれかに記載の組成物。
【請求項７】  前記食用支持マトリックスは、ガラクトマンナン、デキストラン、グアールガム、ローカストビーンガム、キサンタンガム、カラギーン、カラゲナン、トラガントガム、アラビアガム、タラガム、ゲラン、ゼラチン、アルギン酸塩、アガー、またはペクチンのうち１つまたはそれ以上を含む、請求項１から６のいずれかに記載の組成物。
【請求項８】  クレアチンはクレアチン一水化物またはクレアチンリン酸の形で存在する、請求項１から７のいずれかに記載の組成物。
【請求項９】  その通常の提供サイズが生理学上有効な用量のクレアチンを提供する、請求項１から８のいずれかに記載の組成物。
【請求項１０】  その通常の提供サイズが１−１０ｇｍのクレアチンを提供する、請求項１から９のいずれかに記載の組成物。
【請求項１１】  前記クレアチンは２０−２５℃にて少なくとも７日間（クレアチニンへの転化に関して）実質的に安定である、請求項１から１０のいずれかに記載の酸性組成物。
【請求項１２】  前記クレアチンは２０−２５℃にて少なくとも３１日間（クレアチニンへの転化に関して）実質的に安定である、請求項１１に記載の酸性組成物。
【請求項１３】  前記クレアチンは２０−２５℃にて少なくとも４５日間（クレアチニンへの転化に関して）実質的に安定である、請求項１１に記載の酸性組成物。
【請求項１４】  前記クレアチンは２０−２５℃にて少なくとも７３日間（クレアチニンへの転化に関して）実質的に安定である、請求項１１に記載の酸性組成物。
【請求項１５】  クレアチンが実質的に安定である、ヒト摂取のためのクレアチン含有組成物の調製方法であって、前記方法は固形のクレアチンを与えるステップと、前記固体クレアチンを食用粘性液体または半流動体の支持マトリックスと混合して支持マトリックス内に固体クレアチンを分散させるステップとを含む、方法。
【請求項１６】  前記方法を行なうことによって請求項１から１４のいずれかに記載の組成物が得られる、請求項１５に記載の方法。
【請求項１７】  クレアチンを安定な形で貯蔵する方法であって、前記方法は固形のクレアチンを与えるステップと、前記固体クレアチンを食用粘性液体または半流動体の支持マトリックスと混合することによってその中にクレアチンを懸濁させるステップと、懸濁クレアチンを周囲温度またはそれより低い温度で貯蔵するステップとを含む、方法。
【手続補正書】
【提出日】平成19年6月8日(2007.6.8)
【手続補正１】
【補正対象書類名】明細書
【補正対象項目名】特許請求の範囲
【補正方法】変更
【補正の内容】
【特許請求の範囲】
【請求項１】  ウイルスまたはウイルスコアの表面が多価ポリマーでコートされており、該多価ポリマーは複数の反応性基を含み、かつ少なくとも２つの共有結合によってウイルスまたはウイルスコアの表面に共有結合されてポリマーコーティングを形成し、該ポリマーコーティングは、ウイルスまたはウイルスコアがそれが本来正常に結合する部位またはレセプターに結合する能力を妨げることによりウイルスまたはウイルスコアの正常な感染性をマスクする、ポリマーコートされたウイルスまたはウイルスコア。
【請求項２】  ウイルスまたはウイルスコアが治療用遺伝子材料を含む、請求項１記載のポリマーコートされたウイルスまたはウイルスコア。
【請求項３】  ウイルスが、レトロウイルス、アデノ随伴ウイルスを含むパルボウイルス、バキュロウイルス、ヘルペスウイルス、パポバウイルスまたはポックスウイルスからなる群から選択される、請求項１または請求項２記載のポリマーコートされたウイルス。
【請求項４】  ウイルスがアデノウイルスである、請求項１または請求項２記載のポリマーコートされたウイルス。
【請求項５】  多価ポリマーが３つ以上の共有結合によってウイルスまたはウイルスコアの表面に共有結合される、請求項１〜４のいずれか１項記載のポリマーコートされたウイルスまたはウイルスコア。
【請求項６】  ポリマーが１以上の反応性基で置換されたバックボーンを有する生物学的不活性な多価ポリマーである、請求項１〜５のいずれか１項記載のポリマーコートされたウイルスまたはウイルスコア。
【請求項７】  反応性基のそれぞれが直接にまたはスペーサー基を介してポリマーバックボーンに結合される、請求項６記載のポリマーコートされたウイルスまたはウイルスコア。
【請求項８】  ポリマーバックボーンが、Ｎ−２−ヒドロキシプロピルメタアクリルアミド（ＨＰＭＡ）、Ｎ−（２−ヒドロキシエチル）−１−グルタミン（ＨＥＧ）およびエチレングリコール−オリゴペプチド：からなる群から選択されるモノマー単位を含む、請求項６または７記載のポリマーコートされたウイルスまたはウイルスコア。
【請求項９】  ポリマー内での共有結合および／またはポリマーとウイルスもしくはウイルスコアとの間に形成される共有結合が、加水分解的にまたは酵素的に分解可能である、請求項１〜８のいずれか１項記載のポリマーコートされたウイルスまたはウイルスコア。
【請求項１０】  多価ポリマーが架橋され、かつ水性媒体中でハイドロゲルを形成する、請求項１〜９のいずれか１項記載のポリマーコートされたウイルスまたはウイルスコア。
【請求項１１】  生物学的活性物質がポリマーに結合されるか、またはポリマー内に含まれる、請求項１〜１０のいずれか１項記載のポリマーコートされたウイルスまたはウイルスコア。
【請求項１２】  生物学的活性物質が、成長因子もしくはサイトカイン；糖；ホルモン；脂質；リン脂質；脂肪；アポリポプロテイン；細胞接着プロモーター；酵素；毒素；ペプチド；グリコプロテイン；血清タンパク質；ビタミン；ミネラル；および／または抗体認識レセプター：からなる群から選択される１以上である、請求項１１記載のポリマーコートされたウイルスまたはウイルスコア。
【請求項１３】  生物学的活性物質が抗体または抗体フラグメントである、請求項１１記載のポリマーコートされたウイルスまたはウイルスコア。
【請求項１４】  ポリマーがオレイルまたは他の疎水性基を含み、非水性環境内でのウイルスまたはウイルスコアの溶解性並びに分散および安定特性を改変する、請求項１〜１３のいずれか１項記載のポリマーコートされたウイルスまたはウイルスコア。
【請求項１５】  ウイルスがバキュロウイルス粒子である、請求項１４記載のポリマーコートされたウイルスまたはウイルスコア。
【請求項１６】  複数の反応性基を有する多価ポリマーが少なくとも２つの共有結合によってウイルスまたはウイルスコアと共有結合されるように、該ポリマーをウイルスまたはウイルスコアと反応させる工程を含む、請求項１〜１５のいずれか１項記載のポリマーコートされたウイルスの製造方法。
【請求項１７】  ウイルスまたはウイルスコアが治療用遺伝子材料を含む、遺伝子治療において使用するための請求項１〜１５のいずれか１項記載のポリマーコートされたウイルスまたはウイルスコア。
【請求項１８】  ウイルスまたはウイルスコアが治療用遺伝子材料を含む、請求項１〜１５のいずれか１項記載のポリマーコートされたウイルスまたはウイルスコアを含む、遺伝子治療用薬剤。
【請求項１９】  キャリアと一緒になった請求項１〜１５のいずれか１項記載のポリマーコートされたウイルスまたはウイルスコアを含む組成物。
【請求項２０】  キャリアが薬学上受容可能な添加剤、希釈剤または賦形剤である、請求項１９記載の組成物。
【請求項２１】  オイル汚染物質の処理のための、または農業における病原体への生物学的農薬の送達のための、請求項１〜１５のいずれか１項記載のポリマーコートされたウイルスまたはウイルスコアの使用。
【請求項２２】  ウイルスまたはウイルスコアがそれが本来正常に結合する部位またはレセプターに結合する能力を妨げることによって、ウイルスまたはウイルスコアの正常な感染性をマスクするためにウイルスまたはウイルスコアをコーティングする方法であって、複数の反応性基を有する多価ポリマーをウイルスまたはウイルスコアと反応させて、少なくとも２つの共有結合によってポリマーをウイルスまたはウイルスコアの表面に共有結合させ、それによりポリマーコーティングをそれに形成することを含む方法。
【請求項２３】  ウイルスが治療用遺伝子材料を含む、請求項２２に記載の方法。
【請求項２４】  ウイルスが、レトロウイルス、アデノ随伴ウイルスを含むパルボウイルス、バキュロウイルス、ヘルペスウイルス、パポバウイルスまたはポックスウイルスからなる群から選択される、請求項２２または請求項２３記載の方法。
【請求項２５】  ウイルスがアデノウイルスである、請求項２２または２３記載の方法。
【請求項２６】  ポリマーがターゲットに対する特定のターゲッティング基または部分を含み、ポリマーコートされたウイルスが生物学的ホストにおける特定のレセプターに結合する、請求項２２〜２５のいずれか１項記載の方法。
【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】  Ａｓｐｅｒｇｉｌｌｕｓ  ｎｉｇｅｒ由来の粗製加水分解酵素を使用した、Ｒｕｓｃｕｓ  ａｃｕｌｅａｔｕｓステロイド配糖体（ラスコサポニン類）の酵素的加水分解を特徴とする、デスグルコデスラムノラシンの製造方法。
【請求項２】  粗製加水分解酵素が調製品Ｃｙｔｏｌａｓｅ  ＰＣＬ５である、請求項１記載の方法。
【請求項３】  加水分解を、ｐＨ５の水溶液中または３０容量％までのエタノールを含む水−エタノール混合物中で行う、請求項１または２記載の方法。
【請求項４】  ラスコサポニンの濃度が、５〜４０％（ｗ/ｖ）の範囲である、請求項１〜３のいずれか１項記載の方法。
【請求項５】  加水分解を、２０〜４０℃の温度で３〜７日間の期間行う、請求項１〜４のいずれか１項記載の方法。
【請求項６】  最終生成物を、遠心分離およびメタノール洗浄によって回収する、請求項１〜５のいずれか１項記載の方法。
【手続補正書】
【提出日】平成19年5月31日(2007.5.31)
【手続補正１】
【補正対象書類名】明細書
【補正対象項目名】特許請求の範囲
【補正方法】変更
【補正の内容】
【特許請求の範囲】
【請求項１】  デケラ属及びブレタノミセス属の食物及び飲料混入物イーストの列挙のための異なる培地であって、栄養基礎培地、唯一のエネルギー源としてエタノール、p-クマル酸、酸領域中に転換点を有する酸-塩基指示薬、あるイースト種のための抑制剤抗生物質を含むことを特徴とし、必要により細菌増殖抑制物質及び寒天を含んでもよい前記培地。
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】  腫瘍壊死因子レセプター（ＴＮＦＲ）の細胞外ドメインおよびＩｇＧ１分子の定常ドメインを含む、融合ポリペプチドをコードするポリヌクレオチドを含む、組換えアデノ随伴ウイルス（ｒＡＡＶ）ベクター。
【請求項２】  前記ＴＮＦＲの細胞外ドメインが、ｐ７５ ＴＮＦＲ由来である、請求項１に記載のｒＡＡＶベクター。
【請求項３】  前記ＴＮＦＲポリペプチドをコードするポリヌクレオチドが、異種プロモーターに作動可能に連結されている、請求項１または２に記載のｒＡＡＶベクター。
【請求項４】  前記ＴＮＦＲポリペプチドをコードするポリヌクレオチドが、構成的プロモーターに作動可能に連結されている、請求項１ないし３のいずれか１項に記載のｒＡＡＶベクター。
【請求項５】  前記ＴＮＦＲポリペプチドをコードするポリヌクレオチドが、誘導性プロモーターに作動可能に連結されている、請求項１ないし４のいずれか１項に記載のｒＡＡＶベクター。
【請求項６】  前記誘導性プロモーターが、ＴＮＦα遺伝子由来である、請求項５に記載のｒＡＡＶベクター。
【請求項７】  前記ポリヌクレオチドがさらに、インターロイキン−１（ＩＬ−１）アンタゴニストを含むポリペプチドをコードする、請求項１ないし６のいずれか１項に記載のｒＡＡＶベクター。
【請求項８】  前記ＩＬ−１アンタゴニストが、ＩＬ−１レセプターポリペプチドであり、ここで該ＩＬ−１レセプターポリペプチドは、ＩＬ−１に結合する、請求項７に記載のｒＡＡＶベクター。
【請求項９】  前記ＩＬ−１レセプターポリペプチドが、ＩＬ−１レセプターＩＩ型ポリペプチドである、請求項８に記載のｒＡＡＶベクター。
【請求項１０】  請求項１ないし９のいずれか１項に記載のｒＡＡＶベクターでトランスフェクトされた、哺乳動物細胞。
【請求項１１】  請求項７に記載のｒＡＡＶベクターでトランスフェクトされた、哺乳動物細胞。
【請求項１２】  請求項１ないし９のいずれか１項に記載のｒＡＡＶを含む、組成物。
【請求項１３】  薬学的に受容可能な賦形剤をさらに含む、請求項１２に記載の組成物。
【請求項１４】  請求項１ないし９のいずれか１項に記載のｒＡＡＶベクターを含む、ｒＡＡＶウイルス粒子。
【請求項１５】  請求項７に記載のｒＡＡＶベクターを含む、ｒＡＡＶウイルス粒子。
【請求項１６】  哺乳動物におけるＴＮＦレベルを減少させる医薬組成物であって、該哺乳動物におけるＴＮＦレベルを減少させるために十分な量の請求項１ないし９のいずれか１項に記載のｒＡＡＶベクターを含む医薬組成物。
【請求項１７】  ＴＮＦアンタゴニストをさらに含む、請求項１６に記載の医薬組成物。
【請求項１８】  前記ｒＡＡＶベクターが、関節内注射によって投与される、請求項１６または１７に記載の医薬組成物。
【請求項１９】  前記ｒＡＡＶが、前記哺乳動物の滑膜、軟骨、靱帯および腱からなる群から選択される結合組織への注射によって投与される、請求項１６ないし１８のいずれか１項に記載の医薬組成物。
【請求項２０】  前記ｒＡＡＶベクターが、前記哺乳動物の関節空間を内張りしている滑膜細胞に投与される、請求項１８または１９に記載の医薬組成物。
【請求項２１】  前記ｒＡＡＶベクターが、筋内注射によって投与される、請求項１６または１７に記載の医薬組成物。
【請求項２２】  前記ｒＡＡＶベクターが、静脈内注射によって投与される、請求項１６または１７に記載の医薬組成物。
【請求項２３】  哺乳動物における炎症応答を減少させる医薬組成物であって、該哺乳動物における炎症応答を減少させるために十分な量の請求項１ないし９のいずれいか１項に記載のｒＡＡＶベクターを含む医薬組成物。
【請求項２４】  ＴＮＦアンタゴニストをさらに含む、請求項２３に記載の医薬組成物。
【請求項２５】  前記炎症応答が、結合組織において生じる、請求項２３または２４に記載の医薬組成物。
【請求項２６】  前記炎症応答が、関節において生じる、請求項２３ないし２５のいずれか１項に記載の医薬組成物。
【請求項２７】  前記ｒＡＡＶベクターが、関節内注射によって投与される、請求項２３ないし２６のいずれか１項に記載の医薬組成物。
【請求項２８】  前記ｒＡＡＶが、前記哺乳動物の滑膜、軟骨、靱帯および腱からなる群から選択される結合組織への注射によって投与される、請求項２３ないし２７のいずれか１項に記載の医薬組成物。
【請求項２９】  前記ｒＡＡＶベクターが、前記哺乳動物の関節空間を内張りしている滑膜細胞に投与される、請求項２７または２８に記載の医薬組成物。
【請求項３０】  前記ｒＡＡＶベクターが、筋内注射によって投与される、請求項２３ないし２６のいずれか１項に記載の医薬組成物。
【請求項３１】  前記ｒＡＡＶベクターが、静脈内注射によって投与される、請求項２３ないし２６のいずれか１項に記載の医薬組成物。
【請求項３２】  哺乳動物におけるＴＮＦ関連障害を緩和する医薬組成物であって、該ＴＮＦ関連障害の状態を緩和させるために十分な量の請求項１ないし９のいずれか１項に記載のｒＡＡＶベクターを含む医薬組成物。
【請求項３３】  ＴＮＦアンタゴニストをさらに含む、請求項３２に記載の医薬組成物。
【請求項３４】  前記ｒＡＡＶベクターが、関節内注射によって投与される、請求項３２または３３に記載の医薬組成物。
【請求項３５】  前記ｒＡＡＶが、前記哺乳動物の滑膜、軟骨、靱帯および腱からなる群から選択される結合組織に投与される、請求項３２ないし３４のいずれか１項に記載の医薬組成物。
【請求項３６】  前記ｒＡＡＶベクターが、前記哺乳動物の関節空間を内張りしている滑膜細胞に投与される、請求項３４または３５に記載の医薬組成物。
【請求項３７】  前記ｒＡＡＶベクターが、筋内注射によって投与される、請求項３２または３３に記載の医薬組成物。
【請求項３８】  前記ＴＮＦ関連障害が炎症性障害である、請求項３２に記載の医薬組成物。
【請求項３９】  前記炎症性障害が、関節炎状態である、請求項３８に記載の医薬組成物。
【手続補正書】
【提出日】平成19年5月31日(2007.5.31)
【手続補正１】
【補正対象書類名】明細書
【補正対象項目名】特許請求の範囲
【補正方法】変更
【補正の内容】
【特許請求の範囲】
【請求項１】  ザイゴサッカロミセス・ベイリイ(Zygosaccharomyces bailii)及びザイゴサッカロミセス・ビスポラス(Zygosaccharomyces bisporus)の酵母のための鑑別又は選択培地であって、ビタミン、微量元素、唯一の炭素源及びエネルギー源としてのグルコース及びギ酸、適合した酸-塩基指示薬、及び任意により抗生物質細菌発育阻止剤及び寒天で補足された基礎無機培地を含むことを特徴とする、前記培地。